(57)【要約】【課題】従来の技術による諸問題を解決するため、薄型かつ軽量で電力消費を節約できる両面表示のフラットパネル表示器を提供する。【解決手段】第一面と、第一面の反対側にある第二面とを有する両面表示のフラットパネル表示器は、光線を発生する第一光源と、半透過構造を具える表示パネルとを含む。そのうち一部の光線は半透過構造に反射されて両面表示のフラットパネル表示器の第一面に第一画像を表示し、一部の光線は半透過構造を透過して両面表示のフラットパネル表示器の第二面に第二画像を表示する。【選択図】図２１
2005031655.tif 000002
【特許請求の範囲】
【請求項１】
第一面と、第一面の反対側にある第二面とを有する両面表示のフラットパネル表示器は、
光線を発生する第一光源と、
半透過構造を具える表示パネルとを含み、そのうち一部の光線は半透過構造に反射されて両面表示のフラットパネル表示器の第一面に第一画像を表示し、一部の光線は半透過構造を透過して両面表示のフラットパネル表示器の第二面に第二画像を表示することを特徴とするフラットパネル表示器。
【請求項２】
前記フラットパネル表示器に、更に、半透過構造を透過してフラットパネル表示器の第一面に第一画像を表示する光線を発生する第二光源を含むことを特徴とする請求項１記載のフラットパネル表示器。
【請求項３】
前記表示パネルは、第一基板と、第一基板と第一光源との間に位置する第二基板と、第一基板と第二基板との間に位置する液晶層とを含むことを特徴とする請求項１記載のフラットパネル表示器。
【請求項４】
前記第一基板が半透過構造と液晶層との間に位置することを特徴とする請求項３記載のフラットパネル表示器。
【請求項５】
前記半透過構造が第一基板と液晶層との間に位置し、複数の半透過領域を含むことを特徴とする請求項３記載のフラットパネル表示器。
【請求項６】
前記半透過構造は複数の反射領域と複数の透過領域とを含むことを特徴とする請求項５記載のフラットパネル表示器。
【請求項７】
前記反射領域が平面または凹凸表面であることを特徴とする請求項６記載のフラットパネル表示器。
【請求項８】
前記第二基板がカラーフィルターであることを特徴とする請求項７記載のフラットパネル表示器。
【請求項９】
前記カラーフィルターが集光カラーフィルターであることを特徴とする請求項８記載のフラットパネル表示器。
【請求項１０】
前記カラーフィルターは、反射領域と透過領域にそれぞれ対応する複数の第一領域と、透過領域にそれぞれ対応する複数の第二領域とを含むデュアルカラーフィルターであることを特徴とする請求項９記載のフラットパネル表示器。
【請求項１１】
前記第一領域の厚さが第二領域の厚さより薄いことを特徴とする請求項１０記載のフラットパネル表示器。
【請求項１２】
前記第一領域と第二領域とは、厚さが同じであることを特徴とする請求項１０記載のフラットパネル表示器。
【請求項１３】
前記第一領域が１個以上の透光領域を含むことを特徴とする請求項１０記載のフラットパネル表示器。
【請求項１４】
前記第二領域が１個以上の透光領域を含むことを特徴とする請求項１０記載のフラットパネル表示器。
【請求項１５】
前記フラットパネル表示器は、更に、第二基板にあって第一光源による光線を半透過構造の透過領域に集中する集光膜を含むことを特徴とする請求項８記載のフラットパネル表示器。
【請求項１６】
前記集光膜が複数のマイクロレンズを含むことを特徴とする請求項１５記載のフラットパネル表示器。
【請求項１７】
前記第一光源は、光線を発生する光源と、光源による光線を導く導光板と、光源の光度を制御するスイッチ素子とを含むことを特徴とする請求項１記載のフラットパネル表示器。
【請求項１８】
前記第一画像と第二画像は、非同期的にそれぞれ第一面と第二面に表示されることを特徴とする請求項１記載のフラットパネル表示器。
【請求項１９】
前記第一画像が第二画像の鏡像であることを特徴とする請求項１８記載のフラットパネル表示器。
【請求項２０】
前記第一画像が第二画像の縮小画像であることを特徴とする請求項１８記載のフラットパネル表示器。
【請求項２１】
前記第一画像が第二画像と異なることを特徴とする請求項１８記載のフラットパネル表示器。
【請求項２２】
前記フラットパネル表示器は、更に、第一画像と第二画像の画像データを保存するためのメモリーを含むことを特徴とする請求項１８記載のフラットパネル表示器。
【請求項２３】
前記画像データは、画像表示の開始点が定められてから、画像として表示されることを特徴とする請求項２２記載のフラットパネル表示器。
【請求項２４】
前記画像データは分割されて読み取られてから、定められた画像表示の開始点から並べられることを特徴とする請求項２２記載のフラットパネル表示器。
【請求項２５】
前記フラットパネル表示器は、液晶表示パネル、電気泳動表示パネルまたはアクティブマトリックス発光ダイオード表示パネルであることを特徴とする請求項１記載のフラットパネル表示器。
【発明の詳細な説明】
【技術分野】
【０００１】
この発明はフラットパネル表示器に関し、特に両面表示のフラットパネル表示器に関する。
【背景技術】
【０００２】
携帯電話の発展にしたがって、そのフラットパネル表示器の重要性も強調されている。使用者の習慣と時代の趨勢に応じて、両面表示機能を有する表示器が必要となっている。
しかし、従来の両面表示機能を有する表示器は２枚の表示器を接着するだけである。このような構造は材料を浪費するのみならず、２倍以上の電力を必要とするという欠点もある。特に、このような構造は厚くて重いので、携帯型装置のコンパクト化には重大な支障をもたらしている。
【発明の開示】
【発明が解決しようとする課題】
【０００３】
この発明は前述の問題を解決するため、電力消費を節約できる両面表示のフラットパネル表示器を提供することを課題とする。
【課題を解決するための手段】
【０００４】
この発明は第一面と、第一面の反対側にある第二面とを有する両面表示のフラットパネル表示器を提供する。該表示器は、光線を生じさせる第一光源と、半透過構造を具える表示パネルとを含む。そのうち一部の光線は半透過構造に反射されて両面表示のフラットパネル表示器の第一面に第一画像を表示し、一部の光線は半透過構造を透過して両面表示のフラットパネル表示器の第二面に第二画像を表示する。
【発明の効果】
【０００５】
この発明による両面表示フラットパネル表示器は厚さ３．５ｍｍ、重量１５ｇ以下であり、厚さ６ｍｍ、重量３０ｇを超える従来の両面表示フラットパネル表示器より４０％〜６０％の厚さと５０％〜７０％の重量を低減する。なお、この発明は従来の両面表示フラットパネル表示器の電力消費を３０％低減する。よって両面表示フラットパネル表示器の軽量化と電力節約が実現される。
【発明を実施するための最良の形態】
【０００６】
かかる装置の特徴を詳述するために、具体的な実施例を挙げ、図を参照して以下に説明する。
図１はこの発明による両面表示のフラットパネル表示器１０を表す。図１によれば、フラットパネル表示器１０は、光線１２Ａ、１２Ｂを生じさせるための面光源１２と、半透過構造を有する表示パネル１４とを含む。面光源１２による光線１２Ａは半透過構造によって反射されてフラットパネル表示器１０の第一面１０ａに画像を表示し、光線１２Ｂは表示パネル１４を透過してフラットパネル表示器１０の第二面１０ｂに画像を表示する。フラットパネル表示器１０は更に、面光源１２の上下にあって光線の反射を少なくするための反射防止膜（図示されない）と、面光源１２と表示パネル１４を接着すると同時に光線反射を少なくする光学接着剤とを含む。
【０００７】
図２を参照する。図２はこの発明による他の両面表示のフラットパネル表示器２０を表す。図２によれば、フラットパネル表示器２０は、光線２２Ａ、２２Ｂを生じさせるための面光源２２と、光線２４Ａを生じさせるための他の面光源２４と、面光源２２と面光源２４との間に位置して半透過構造を有する表示パネル２６とを含む。面光源２２による光線２２Ａが半透過構造によって反射され、または面光源２４による光線２４Ａが表示パネル２６と面光源２２を透過する場合は、フラットパネル表示器２０の第一面２０ａに画像が表示される。面光源２２による光線２２Ｂが表示パネル２６と面光源２４を透過する場合は、フラットパネル表示器２０の第二面２０ｂに画像が表示される。図２によれば、面光源２４による光線２４Ａは半透過構造に反射されないため、それによってフラットパネル表示器２０の第二面２０ｂに画像は表示されることはない。なお、フラットパネル表示器２０は更に、面光源２２と面光源２４の上下にあって光線の反射を少なくするための反射防止膜と、面光源２２、２４と表示パネル２６を接着すると同時に光線の反射を少なくする光学接着剤とを含む。この発明によれば、表示パネル１４、２６は電気泳動表示パネル、アクティブマトリックス発光ダイオード（ＬＥＤ）表示パネルまたはＲＳＴＮ、ＲＴＮ、ＲＥＣＢ、ＭＴＮ、ＶＡなどの形式の液晶表示パネルである。
【０００８】
図１と図２における表示パネル１４、２６の構造について以下に詳述する。図３と図４を参照する。図３と図４はこの発明による表示パネルの構造を表す。図３によれば、表示パネル４０は偏光膜４２と、補償膜４４と、カラーフィルター４６と、液晶層４８と、アレイ基板５０と、補償膜５２と、偏光膜５４とを含む。アレイ基板５０は、複数の反射領域５０２２と複数の透過領域５０２４を含む半透過構造５０２を有する。反射領域５０２２は平面または凹凸表面である。光線５６Ａは反射領域５０２２によって偏光膜４２の外側に反射され、光線５６Ｂは透過領域５０２４と、補償膜５２と、偏光膜５４を透過する。図４によれば、表示パネル６０は、偏光膜６２と、カラーフィルター６４と、液晶層６６と、複数の透過領域６８２を有するアレイ基板６８と、半透過膜である半透過構造７０と、偏光膜７２とを含む。半透過構造７０は光線７４を一部反射して一部透過させる。透過領域６８２を透過すると、光線７４は、一部は偏光膜６２の方に反射され、一部は半透過構造７０を透過して偏光膜７２に達する。アレイ基板５０、６８は半透過型のＴＮ液晶表示パネル、ＳＴＮ液晶表示パネル、ＴＦＴ液晶表示パネル、アクティブマトリックスＬＥＤ表示パネルまたはＬＴＰＳ−ＴＦＴ液晶表示パネル表示器に適用される。
【０００９】
図５を参照する。図５は図３における表示パネル４０のアレイ基板５０を表す説明図である。図５によれば、アレイ基板５０は半透過構造５０２を有する。半透過構造５０２は、光線５０Ａを反射するための反射領域５０２２と、光線５０Ｂを透過させる透過領域５０２４とを有する。もっとも、この発明によるアレイ基板は図３と図５に限らない。
【００１０】
図６と図７を参照する。図６と図７はこの発明による他のアレイ基板５０を表す説明図である。図６によれば、アレイ基板５０は半透過構造５０４を有する。半透過構造５０４は光線５０Ａ、５０Ｂを一部反射すると同時に一部透過させる。半透過構造５０４は、光線５０Ａ、５０Ｂの目的とする反射率と透過率によって、厚さを調整できる金属膜である。図７によれば、アレイ基板５０は半透過構造５０６を有する。半透過構造５０６は、凹凸表面であって光線５０Ａを反射するための反射領域５０６２と、光線５０Ｂを透過させる透過領域５０６４とを有する。反射領域５０６２は凹凸層５０６２ａと反射層５０６２ｂを有する。凹凸層５０６２ａは窒化シリコン、酸化シリコンまたはシリコンオキシナイトライドからなり、反射層５０６２ｂはアルミニウム、銀またはその合金などの高反射性金属、または多層膜反射層などの高反射性材料からなる。
【００１１】
図８から図１３はこの発明によるフラットパネル表示器のカラーフィルターの構造を表す。図８によれば、カラーフィルター８０は、赤領域Ｒと、緑領域Ｇと、青領域Ｂと、光線を表示パネルに集中するマイクロレンズなどの集光膜８０２を具える。図９によれば、カラーフィルター８１は、光線を表示器に集中するマイクロレンズなどの構造からなる。図１０によれば、カラーフィルター８４はデュアルカラーフィルターである。アレイ基板８２の反射領域８２２に反射された光線はカラーフィルター８４を２回透過し、アレイ基板８２の透過領域８２４を透過した光線はカラーフィルター８４を１回透過する。反射領域８２２の上方にあるカラーフィルター８４は透過領域８２４の上方にあるカラーフィルター８４と同材質である。図１１によれば、デュアルカラーフィルター８５は、アレイ基板８２の反射領域８２２にそれぞれ対応する第一領域８５２と、アレイ基板８２の透過領域８２４にそれぞれ対応する第二領域８５４とを含む。第二領域８５４は第一領域８５２と異なる色と材質を有し、第一領域８５２より厚い。図１２によれば、デュアルカラーフィルター８６は、アレイ基板８８の反射領域８８２に対応する第一領域８６２と、アレイ基板８８の透過領域８８４に対応する第二領域８６４とを含む。第一領域８６２は赤、緑、青などの基本色であり、第二領域８６４は赤、緑、青などの基本色領域８６４２と、混色するためのフォトレジストからなる透光領域８６４４を有する。図１３によれば、デュアルカラーフィルター９２は、アレイ基板９０の反射領域９０２に対応する第一領域９２２と、アレイ基板９０の透過領域９０４に対応する第二領域９２４とを含む。第一領域９２２は、混色するための複数のフォトレジストからなる透光領域９２２２を有する。第一領域９２２と第二領域９２４とは、材質、色、厚さなどが同じである。
【実施例１】
【００１２】
図１４はこの発明の実施例１による両面表示フラットパネル表示器１００の構造を表す。表示器１００は光源１１２と、導光板１１４と、カラーフィルター１１６と、液晶層１１８と、アレイ基板１２０とを含む。光源１１２と導光板１１４は面光源を形成する。導光板１１４は、光線１１２Ａ、１１２Ｂを、カラーフィルター１１６と液晶層１１８を通して基板１２０に導く。基板１２０におけるピクセル１２０２は反射領域１２０２２と透過領域１２０２４を有する。光線１１２Ａは、反射領域１２０２２によって反射されてフラットパネル表示器１００の正面に画像を表示し、光線１１２Ｂは透過領域１２０２４を透過してフラットパネル表示器１００の背面に画像を表示する。反射領域１２０２２は平面または凹凸表面である。フラットパネル表示器１００はＴＮ、ＳＴＮ、ＴＦＴ、ＴＦＤまたはその他の表示器である。カラーフィルター１１６は前述のカラーフィルターのいずれかである。反射領域１２０２２に反射される光線１１２Ａがカラーフィルター１１６を２回透過し、透過領域１２０２４を透過する光線１１２Ｂはカラーフィルター１１６を１回透過するため、光線１１２Ａと光線１１２Ｂの使用率が相違する。したがって、フラットパネル表示器１００の正面と背面に品質が同じである画像を表示するため、カラーフィルター１１６にはデュアルカラーフィルターを使用する。フラットパネル表示器１００は更に、光源１１２の光度を制御するため開閉と制御時間が調節できる自動スイッチを具える。図１５は自動スイッチとフラットパネルの明るさとの関係を表す。自動スイッチの開閉と開閉時間はパネルの明るさに関わる。
【実施例２】
【００１３】
図１６はこの発明の実施例２による両面表示フラットパネル表示器１３０の構造を表す。表示器１３０は、光源１３２と、プリズム１３４と、導光板１３６と、カラーフィルター１３８と、液晶層１４０と、アレイ基板１４２とを含む。プリズム１３４は光源１３２による光線を導光板１３６に導き、導光板１３６は光線をフィルター１３８と液晶層１４０を通してアレイ基板１４２に導く。傾斜角のある導光板１３６と、光源１３２と、プリズム１３４は面光源を形成する。基板１４２におけるピクセル１４２２は反射領域１４２２２と透過領域１４２２４を有する。光線は反射領域１４２２２によって反射されてフラットパネル表示器１３０の正面に画像を表示し、透過領域１４２２４を透過してフラットパネル表示器１３０の背面に画像を表示する。反射領域１４２２２は平面または凹凸表面である。フラットパネル表示器１３０はＴＮ、ＳＴＮ、ＴＦＴ、ＴＦＤまたはその他の表示器である。フラットパネル表示器１３０は、カラーフィルター１３８で液晶層１４０にある液晶分子の回転を制御して画像を表示する。反射領域１４２２２で反射される光線と透過領域１４２２４を透過する光線の使用率が相違する。したがって、フラットパネル表示器１３０の正面と背面に品質が同じである画像を表示するため、カラーフィルター１３８にはデュアルカラーフィルターを使用する。フラットパネル表示器１３０は更に、光源１１２の光度を制御するため開閉と制御時間が調節できる自動スイッチを具える。
【００１４】
図１７は図１６におけるプリズム１３４の角度を表す。導光板１３６は傾斜角αの第一面１３６ａと、第二面１３６ｂと、第三面１３６ｃを有する。導光板１３６は更に、第一面１３６ａと第二面１３６ｂの夾角ｘと、第二面１３６ｂと第三面１３６ｃの法線との夾角βを有する。夾角ｘは光源１３２による光線ａを一定の狭い経路を通らせるため、鋭角でなければならない。光線ａはプリズム１３４によって発散角δで発散され、屈折角γで第二面１３６ｂ及び導光板１３６を通して入射角θ２で第一面１３６ａに入射し、また入射角θ１で第三面１３６ｃに入射されて第三面１３６ｃを通して導光板１３６の外側へ放散される。
【００１５】
そのうち入射角θ２は光の利用率を高めて電力消費を少なくするため、以下の数式１を満足しなければならない。
【数１】
2005031655.tif 000003
θ１も以下の数式２を満足しなければならない。
【数２】
2005031655.tif 000004
なお、光線ａを液晶層１４０に導くため、θ１は導光板１３６の全反射角より小さくなければならない。これは数式２によれば、傾斜角αを増加するだけで実現できる。
【実施例３】
【００１６】
図１８はこの発明の実施例３による両面表示フラットパネル表示器１６０の構造を表す。表示器１６０は光源１６２と、プリズム１６４と、導光板１６６と、カラーフィルター１６８と、液晶層１７０と、アレイ基板１７２とを含む。プリズム１６４は光源１６２による光線を導光板１６６に導き、導光板１６６は、光線をカラーフィルター１６８と液晶層１７０を通して基板１７２に導く。導光板１６６は傾斜角があり、基板１７２におけるピクセルは反射領域１７２２２と透過領域１７２２４を有する。光線は、反射領域１７２２２によって反射されてフラットパネル表示器１６０の正面に画像を表示し、また、透過領域１７２２４を透過してフラットパネル表示器１６０の背面に画像を表示する。フラットパネル表示器１６０は、更に導光板１６６を通す光線の強度分布を均一にするための散乱層１７４を具える。フラットパネル表示器１６０はＴＮ、ＳＴＮ、ＴＦＴ、ＴＦＤまたはその他の表示器であり、カラーフィルター１６８は赤、緑、青などの領域を有する。反射領域１７２２２に反射される光線と透過領域１７２２４を透過する光線の使用率が相違する。したがって、フラットパネル表示器１６０の正面と背面に品質が同じである画像を表示するため、カラーフィルター１６８にはデュアルカラーフィルターを使用する。
【００１７】
フラットパネル表示器１６０は更に、光源１６２の光度を制御するため開閉と制御時間が調節できる自動スイッチを具える。なお、フラットパネル表示器１６０は光線を透過領域１７２２４に集中するマイクロレンズ１７６を具える。マイクロレンズ１７６がある場合、反射効果を向上させるため、反射領域１７２２２は長さ１０〜８００ナノメートル、高さ５〜１００ナノメートルの超微細凹凸表面であることが望ましい。反射領域１７２２２の材料はアルミニウム、銀もしくはその合金などの高反射性金属、または多層膜反射層である。マイクロレンズ１７６と超微細凹凸表面である反射領域１７２２２を使用するとともに、反射領域１７２２２の面積を増して透過領域１７２２４の面積を減ずることによって、フラットパネル表示器１６０の両面表示を可能にする。反射領域１７２２２の面積を５％〜８５％、透過領域１７２２４の面積を５％〜８５％に定める。反射領域１７２２２の面積が増加するとともにフラットパネル表示器１６０の正面表示効果が増加し、透過領域１７２２４の面積が増加するとともにフラットパネル表示器１６０の背面表示効果は減少するが、マイクロレンズ１７６の使用によって透過領域１７２２４の透過率が高くなるので、フラットパネル表示器１６０の背面表示画像効果が向上する。フラットパネル１６０の導光板とプリズムは実施例２と同じである。
【００１８】
図１９と図２０はこの発明によるフラットパネル表示器による正面表示と背面表示を表し、図２１は両面表示を表す。図２１によれば、フラットパネル表示器の正面２０２が画像２０２Ａを表示する場合、背面２０４は画像２０２Ａと同じ画像２０４Ａを表示する。背面２０４が画像２０２Ａの鏡像である画像２０４Ｂまたは画像２０２Ａと異なる画像２０４Ｃを表示することも可能である。注意すべき点は、図２１における正面と背面の画像表示は非同期的であることにある。
【００１９】
図２２はこの発明によるフラットパネル表示器の画像表示を表す。表示器の画像データ２１２はメモリー２１０のあるブロック２１４に保存され、表示時に読み取られる。この発明による画像表示は２種類がある。第一に、画像データ２１２を全部読み取ってから画像表示の開始点を定める。正面表示の場合は上から下まで画像２２０を表示し、背面表示の場合は下から上まで正面表示の画像を上下反転した画像２２２Ａを表示する。背面表示が正面表示の画像を左右反転した画像２２２Ｂまたは上下左右反転した画像２２２Ｃを表示することも可能である。第二に、画像データを分割して読み取ってから、表示の開始点を定めて分割された画像データを並べる。並べる方向は開始点２３０から矢印２３２に、または開始点２３４から矢印２３６に、または開始点２３８から矢印２４０に沿う。以上の方法でこの発明によるフラットパネル表示器の正、背面は同一画像、上下反転画像または左右反転画像を表示できる。この発明によるフラットパネル表示器は更にメモリー２１０のあるブロック２１８に保存される画像データ２１６を備える。画像データ２１６は画像データ２１２と異なるので、フラットパネル表示器の正、背面には相違した画像を表示する。
【００２０】
図２３は図２０における背面が縮小画像を表示することを表す。この発明によるフラットパネル表示器は前述の方法に基づいて画像を計算することによって、正面または背面に拡大または縮小画像を表示する。図２４は表示画像の拡大または縮小を表す。１７６×２２０の画像２３０を１２８×１６０の画像２３２に縮小できる。
【００２１】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２２】
この発明による両面表示フラットパネル表示器は厚さ３．５ｍｍ、重量１５ｇ以下であり、厚さ６ｍｍ、重量３０ｇを超える従来の両面表示フラットパネル表示器より４０％〜６０％の厚さと５０％〜７０％の重量を軽減する。なお、この発明は従来の両面表示フラットパネル表示器の電力消費を３０％軽減する。よって両面表示フラットパネル表示器の軽量化と電力節約が実現される。
【図面の簡単な説明】
【００２３】
【図１】この発明による両面表示フラットパネル表示器を表す説明図である。
【図２】この発明による他の両面表示フラットパネル表示器を表す説明図である。
【図３】この発明による表示パネルの構造を表す第一説明図である。
【図４】この発明による表示パネルの構造を表す第二説明図である
【図５】この発明による表示パネルのアレイ基板を表す第一説明図である。
【図６】この発明による表示パネルのアレイ基板を表す第二説明図である。
【図７】この発明による表示パネルのアレイ基板を表す第三説明図である。
【図８】この発明によるフラットパネル表示器のカラーフィルターの構造を表す第一説明図である。
【図９】この発明によるフラットパネル表示器のカラーフィルターの構造を表す第二説明図である。
【図１０】この発明によるフラットパネル表示器のカラーフィルターの構造を表す第三説明図である。
【図１１】この発明によるフラットパネル表示器のカラーフィルターの構造を表す第四説明図である。
【図１２】この発明によるフラットパネル表示器のカラーフィルターの構造を表す第五説明図である。
【図１３】この発明によるフラットパネル表示器のカラーフィルターの構造を表す第六説明図である。
【図１４】この発明の実施例１による両面表示フラットパネル表示器の構造を表す説明図である。
【図１５】自動スイッチとフラットパネルの明るさとの関係を表す説明図である。
【図１６】この発明の実施例２による両面表示フラットパネル表示器の構造を表す説明図である。
【図１７】図１６におけるプリズムの角度を表す説明図である。
【図１８】この発明の実施例３による両面表示フラットパネル表示器の構造を表す説明図である。
【図１９】フラットパネル表示器による正面表示を表す説明図である。
【図２０】フラットパネル表示器による背面表示を表す説明図である。
【図２１】フラットパネル表示器による両面表示を表す説明図である。
【図２２】フラットパネル表示器の画像表示を表す説明図である。
【図２３】図２０における背面が縮小画像を表示することを表す説明図である。
【図２４】表示画像の拡大または縮小を表す説明図である。
【符号の説明】
【００２４】
１０、２０、３０、１００、１３０、１６０、２００    フラットパネル表示器
１２、２２、２４                        面光源
１２Ａ、１２Ｂ、２２Ａ、２２Ｂ、２４Ａ、５０Ａ、    光線
５０Ｂ、１１２Ａ、１１２Ｂ、
１４、２６、４０、６０                  表示パネル
３２、１１２、１３２、１６２                  光源
３４、１１４、１３６、１６６                  導光板
３６、８０、８１、８４、８５、８６、９２、１１６、  フィルター
１３８、１６８
３８、４８、６２、６６、１１８、１４０、１７０ 液晶層
４２、５２、７０                        偏光膜
４４、５４                              補償膜
４６、６４                              カラーフィルター
５０、６８、８２、８８、９０、１２０、１４２、 アレイ基板
１７２                      
５０２、５０８、８２２、８６２、８８２、９０２、    反射領域
９２２、１２０２２、１４２２２、１７２２２
５０４、５１０、８２４、８６４、８８４、９０４、    透過領域
９０４、９２４、１２０２４、１４２２４、１７２２４
５０６                                  半透過構造
５０８２                                凹凸層
５０８４                                反射層
７２                                    半透過膜
８０２、１１６２                        集光膜
８６４２                                基本色領域
８６４４、９２２２                            透光領域
１２０２、１４２２                            ピクセル
１３４、１６４                          プリズム
１７４                                  散乱層
１７６                                  マイクロレンズ
２０２                                  正面
２０２Ａ、２０４Ａ、２０４Ｂ、２０４Ｃ、２２０、    画像
２２２Ａ、２２２Ｂ、２２２Ｃ、２２２Ｄ、２３０、
２３２
２０４                                  背面
２１０                                  メモリー
２１２、２１６                          画像データ
２１４、２１８                          ブロック
【図１】
2005031655.tif 000005
【図２】
2005031655.tif 000006
【図３】
2005031655.tif 000007
【図４】
2005031655.tif 000008
【図５】
2005031655.tif 000009
【図６】
2005031655.tif 000010
【図７】
2005031655.tif 000011
【図８】
2005031655.tif 000012
【図９】
2005031655.tif 000013
【図１０】
2005031655.tif 000014
【図１１】
2005031655.tif 000015
【図１２】
2005031655.tif 000016
【図１３】
2005031655.tif 000017
【図１４】
2005031655.tif 000018
【図１５】
2005031655.tif 000019
【図１６】
2005031655.tif 000020
【図１７】
2005031655.tif 000021
【図１８】
2005031655.tif 000022
【図１９】
2005031655.tif 000023
【図２０】
2005031655.tif 000024
【図２１】
2005031655.tif 000025
【図２２】
2005031655.tif 000026
【図２３】
2005031655.tif 000027
【図２４】
2005031655.tif 000028